(57)【要約】      （修正有）【課題】乳房を寄せた状態に装用でき、かつ良好な保形性を発揮するブラジャーを提供する。【解決手段】係止具２にて着脱可能な左右のカップ部１,１と、下縁１ｂに沿って前端３ａから略中間部３ｂにわたり縫着され、後端側３ｃを延長させた伸縮材よりなるアンダーバスト引締布３とを備える。さらに、その後端に長さ調整手段４を介して長短調整可能に両端５ａ,５ｂが固着された背部バンド５と、伸縮性を有する縁取りリボン６によりカップ部１,１の上縁１ａと一緒に、上縁７ａが縫着され、アンダーバスト引締布の前端３ａから後端に、下縁７ｂが縫着されてカップ部の表面を覆うように取付けられる表装布７とを含む。又、表装布の遊離端７ｃに形成された脇当て部８と、カップ部の上縁頂部１ｃに一端９ａが、他端９ｂが取付金具１０を介して背部バンドに取付けられる肩紐９,９とを備える。【選択図】図１
0003168656.tif 000002
【実用新案登録請求の範囲】
【請求項１】
係止具により正面中央において着脱可能に連設される左右のカップ部と、
左右の前記カップ部の各下縁に沿ってその前端から略中間部にわたり縫着されるとともに、後端側を略一直線に延長させた伸縮材よりなるリボン状の左右のアンダーバスト引締布と、
前記アンダーバスト引締布の後端に長さ調整手段を介して長短調整可能に略一直線に両端が固着された非伸縮性の布帛よりなる背部バンドと、
伸縮性を有する縁取りリボンにより前記カップ部の上縁と一緒に、その上縁が縫着されるとともに、前記アンダーバスト引締布の前端から後端に、その下縁が縫着されることにより前記カップ部の表面を覆うように遊離して取付けられる表装布と、
前記カップに対する前記表装布の後方の遊離端が略側面三角形に形成された脇当て部と、
前記カップ部の上縁頂部に一端が固着され、他端が取付金具を介して前記背部バンドに取り付けられる肩紐と、により構成されている
ことを特徴とするブラジャー。
【請求項２】
前記長さ調整手段が、中央に配した中央杆部を介して２つの環状部が連設された２連環を２つ用いて前記背部バンドの長さが調整可能に設けられ、
前記背部バンドが、一方の前記アンダーバスト引締布の後端に一端が固着された定寸の固定バンドと、該固定バンドの他端が、挿通されて縫着される一方の環状部を有する一方の前記２連環の他方の環状部に一側に設けられたループ部が挿通されるとともに、該ループ部の一端が中央杆部に固着された他方の前記２連環の２つの環状部に前記ループ部の自由端側が摺動可能に挿通された摺動バンドと、により構成されている
ことを特徴とする請求項１に記載のブラジャー。
【考案の詳細な説明】
【技術分野】
【０００１】
本考案はブラジャーに関し、女性が違和感や痛みを覚えずに乳房を寄せた状態に装用することによって胸を豊満に見せる形に、体形を整え、良好な保形性を発揮するものである。
【背景技術】
【０００２】
従来、ブラジャーとして、左右のカップ周りは非伸縮性生地で構成し、該カップに連設されるバック部は伸縮性編織地で構成され、該バック部の上辺部位、中間部位、下辺部位はその着用圧をそれぞれ中・弱・強として構成されているものがあった（例えば、特許文献１参照。）。
【先行技術文献】
【特許文献】
【０００３】
【特許文献１】特開２００１−１３１８０３号公報
【考案の概要】
【考案が解決しようとする課題】
【０００４】
しかしながら、特許文献１に記載された従来のブラジャーは、左右のカップ部周りは非伸縮性生地で構成され、該カップ部に連設されるバック部は伸縮性編織地で構成されているので、女性が胸にブラジャーを装用した場合に、左右のカップ部を伸縮性編織地で構成されているバック部が後方へ引っ張る格好になるため、非伸縮性生地よりなるブラジャーのカップ部周りが膚に食い込み、乳房間を拡げるように、胸を圧迫して押し潰してしまう。従って、左右のカップ部周りは非伸縮性生地で構成され、該カップ部に連設されるバック部は伸縮性編織地で構成されている特許文献１に記載された従来のブラジャーは、胸の形を良く、体形を整えるためには、却って逆効果である。
【０００５】
また、特許文献１に記載された従来のブラジャーは、左右のカップ部における周辺の湾曲部における表地と裏地との間にワイヤを封入した袋テープが設けられる構成なので、ブラジャーを装用した場合に、ワイヤが胸下に食い込み、窮屈感や痛みを覚えるものであった。
【０００６】
本考案は上記従来の欠点を解決するためになされたものであり、胸を豊満に見せる形に、体形を整え、良好な保形性を発揮し、また、窮屈感や痛みを覚えることなく、着心地良く装用することができるブラジャーを提供することを目的とする。
【課題を解決するための手段】
【０００７】
本考案は上記課題に鑑みなされ、請求項１に記載の考案は、係止具により正面中央において着脱可能に連設される左右のカップ部と、
左右の前記カップ部の各下縁に沿ってその前端から略中間部にわたり縫着されるとともに、後端側を略一直線に延長させた伸縮材よりなるリボン状の左右のアンダーバスト引締布と、
前記アンダーバスト引締布の後端に長さ調整手段を介して長短調整可能に略一直線に両端が固着された非伸縮性の布帛よりなる背部バンドと、
伸縮性を有する縁取りリボンにより前記カップ部の上縁と一緒に、その上縁が縫着されるとともに、前記アンダーバスト引締布の前端から後端に、その下縁が縫着されることにより前記カップ部の表面を覆うように遊離して取付けられる表装布と、
前記カップに対する前記表装布の後方の遊離端が略側面三角形に形成された脇当て部と、
前記カップ部の上縁頂部に一端が固着され、他端が取付金具を介して前記背部バンドに取り付けられる肩紐と、により構成されている
ことを特徴とする。
【０００８】
また、本考案の請求項２に記載の考案は、請求項１において、前記長さ調整手段が、中央に配した中央杆部を介して２つの環状部が連設された２連環を２つ用いて前記背部バンドの長さが調整可能に設けられ、
前記背部バンドが、一方の前記アンダーバスト引締布の後端に一端が固着された定寸の固定バンドと、該固定バンドの他端が、挿通されて縫着される一方の環状部を有する一方の前記２連環の他方の環状部に一側に設けられたループ部が挿通されるとともに、該ループ部の一端が中央杆部に固着された他方の前記２連環の２つの環状部に前記ループ部の自由端側が摺動可能に挿通された摺動バンドと、により構成されている
ことを特徴とする。
【考案の効果】
【０００９】
本考案の請求項１に記載の考案によれば、係止具により正面中央において着脱可能に連設される左右のカップ部と、左右の前記カップ部の各下縁に沿ってその前端から略中間部にわたり縫着されるとともに、後端側を略一直線に延長させた伸縮材よりなるリボン状の左右のアンダーバスト引締布と、前記アンダーバスト引締布の後端に長さ調整手段を介して長短調整可能に略一直線に両端が固着された非伸縮性の布帛よりなる背部バンドと、伸縮性を有する縁取りリボンにより前記カップ部の上縁と一緒に、その上縁が縫着されるとともに、前記アンダーバスト引締布の前端から後端に、その下縁が縫着されることにより前記カップ部の表面を覆うように遊離して取付けられる表装布と、前記カップに対する前記表装布の後方の遊離端が略側面三角形に形成された脇当て部と、前記カップ部の上縁頂部に一端が固着され、他端が取付金具を介して前記背部バンドに取り付けられる肩紐と、により構成されているので、左右のカップ部の中央に設けられた係止具を係止することにより女性はブラジャーを胸に装用することができる。
【００１０】
そして、左右の前記カップ部の各下縁に沿ってその前端から略中間部にわたり縫着されるとともに、後端側を略一直線に延長させた伸縮材よりなるリボン状の左右のアンダーバスト引締布と、このアンダーバスト引締布の前端から後端に、その下縁が縫着されることにより前記カップ部の表面を覆うように遊離して取付けられた表装布と、前記表装布の後方の遊離端が略側面三角形に形成された脇当て部と、がそれぞれ伸縮性が発揮されることにより、左右のカップ部に収容される乳房は中央に寄せられ、胸を豊満に見せる形に弾力的に支持され、体形が整えられるとともに、良好な保形性が発揮される。
【００１１】
また、アンダーバスト引締布の前端から後端に、その下縁が縫着されることにより前記カップ部の表面を覆うように遊離して取付けられた表装布と、前記表装布の後方の遊離端が略側面三角形に形成された脇当て部と、をレース編物生地や柔軟な素材により形成される各種図柄の織物、編物よりなるものを用いることにより、外観的に見映えがし、デザイン的に優れたものになる。
【００１２】
そして、アンダーバスト引締布の後端には、長さ調整手段を介して長短調整可能に略一直線に両端が固着された背部バンドが設けられているので、長さ調整手段により背部バンドは、その長さが迅速かつ確実に調整され、ブラジャーを装用することができる。
【００１３】
また、本実施形態のブラジャーには、カップ部の周囲や脇当て部には、ワイヤのような保形材が用いられてはいないので、窮屈感や痛みを覚えることなく、着心地良く装用することができる。
【００１４】
また、本考案の請求項２に記載の考案は、請求項１において、前記長さ調整手段が、中央に配した中央杆部を介して２つの環状部が連設された２連環を２つ用いて前記背部バンドの長さが調整可能に設けられ、前記背部バンドが、一方の前記アンダーバスト引締布の後端に一端が固着された定寸の固定バンドと、該固定バンドの他端が、挿通されて縫着される一方の環状部を有する一方の前記２連環の他方の環状部に一側に設けられたループ部が挿通されるとともに、該ループ部の一端が中央杆部に固着された他方の前記２連環の２つの環状部に前記ループ部の自由端側が摺動可能に挿通された摺動バンドと、により構成されているので、背部バンドの長さを調整するのには、一方の前記アンダーバスト引締布の後端に一端が固着された定寸の固定バンドの他端が、挿通されて縫着される一方の環状部を有する一方の２連環の他方の環状部に挿通されたループ部が一側に設けられた摺動バンドの前記ループ部の直径を大小変化させるように、他方の２連環を摺動バンドに対して摺動させることにより、容易かつ確実にループ部の長さを変更し、背部バンドを長短調整することができる。
【図面の簡単な説明】
【００１５】
【図１】図１は本考案のブラジャーの実施形態１を示す正面図である。
【図２】図２は同じく背面図である。
【考案を実施するための形態】
【００１６】
以下、図面に従って本考案の実施の最良の形態により、本考案の詳細を説明する。
【００１７】
本考案の実施形態は、係止具２により正面中央において着脱可能に連設される左右のカップ部１,１と、左右の前記カップ部１,１の各下縁１ｂに沿ってその前端３ａから略中間部３ｂにわたり縫着されるとともに、後端側３ｃを略一直線に延長させた伸縮材よりなるリボン状の左右のアンダーバスト引締布３と、前記アンダーバスト引締布３の後端に長さ調整手段４を介して長さを長短調整可能に略一直線に両端５ａ,５ｂが固着された非伸縮性の布帛よりなる背部バンド５と、伸縮性を有する縁取りリボン６により前記カップ部１,１の上縁１ａと一緒に、その上縁７ａが縫着されるとともに、前記アンダーバスト引締布３の前端３ａから後端に、その下縁７ｂが縫着されることにより前記カップ部１,１の表面を覆うように周縁部を除いて遊離して取付けられる表装布７と、前記カップ部１,１に対する前記表装布７の後方の遊離端７ｃが略側面三角形に形成された脇当て部８と、前記カップ部１,１の上縁頂部１ｃに一端９ａが固着され、他端９ｂが取付金具１０を介して前記背部バンド５に取り付けられる肩紐９,９と、により構成されている。
【００１８】
前記係止具２としては、例えば図に示すような雄雌のホック、また、図には示さないファスナー、ボタンとボタン孔等が挙げられる。
【００１９】
前記長さ調整手段４が、その中央に配した中央杆部１１ａを介して２つの環状部１１ｂ,１１ｃが連設された２連環１１を２つ用いて前記背部バンド５の長さが調整可能に設けられ、前記背部バンド５が、一方の前記アンダーバスト引締布３の後端に一端１２ａが固着された定寸の固定バンド１２と、該固定バンド１２の他端１２ｂが、挿通されて縫着される一方の環状部１１ｃを有する一方の前記２連環１１の他方の環状部１１ｂに一側に設けられたループ部１３が挿通されるとともに、該ループ部１３の一端１３ａが中央杆部１１ａに固着された他方の前記２連環１１の２つの環状部１１ｂ,１１ｃに前記ループ部１３の自由端側１３ｂが摺動可能に挿通された摺動バンド１４と、により構成されている。
【００２０】
本実施形態１のブラジャーは、以上の構成からなり、係止具２により正面中央において着脱可能に連設される左右のカップ部１,１と、左右の前記カップ部１,１の各下縁１ｂに沿ってその前端３ａから略中間部３ｂにわたり縫着されるとともに、後端側３ｃを略一直線に延長させた伸縮材よりなるリボン状の左右のアンダーバスト引締布３と、前記アンダーバスト引締布３の後端に長さ調整手段４を介して長さが長短調整可能に略一直線に両端５ａ,５ｂが固着された非伸縮性の布帛よりなる背部バンド５と、伸縮性を有する縁取りリボン６により前記カップ部１,１の上縁１ａと一緒に、その上縁７ａが縫着されるとともに、前記アンダーバスト引締布３の前端３ａから後端に、その下縁７ｂが縫着されることにより前記カップ部１,１の表面を覆うように遊離して取付けられる表装布７と、前記カップ部１,１に対する前記表装布７の後方の遊離端７ｃが略側面三角形に形成された脇当て部８と、前記カップ部１,１の上縁頂部１ｃに一端９ａが固着され、他端９ｂが取付金具１０を介して前記背部バンド５に取り付けられる肩紐９,９と、により構成されているので、左右のカップ部１,１の中央に設けられた係止具２を外して左右のカップ部１,１を開き、係止具２を再び係止することにより女性はブラジャーを胸に装用することができる。
【００２１】
この際、左右のカップ部１,１は、上縁頂部１ｃに一端９ａが固着され、他端９ｂが取付金具１０を介して非伸縮性の布帛よりなる前記背部バンド５に取り付けられている肩紐９,９を肩に装用すると、左右の前記カップ部１,１には、伸縮材よりなるリボン状の左右のアンダーバスト引締布３が、その各下縁１ｂ,１ｂに沿ってその前端３ａから略中間部３ｂにわたり縫着されるとともに、後端側３ｃを略一直線に延長させ、また、このアンダーバスト引締布３の前端３ａから後端に、前記カップ部１,１の表面を覆うように遊離して取付けられた表装布７の下縁７ｂが縫着され、しかも、前記表装布７の後方の遊離端７ｃには、略側面三角形の脇当て部８が形成されているので、アンダーバスト引締布３が伸縮性を発揮することにより左右のカップ部１,１は、その下縁１ｂが被装着者のアンダー・バスト部分に密着され、また、表装布７が伸縮性を発揮するのと、カップ部１,１の上縁１ａに縫着される縁取りリボン６が伸縮性を発揮することによって乳房は左右のカップ部１,１に軟らかく包み込まれて収容され、表装布７の後方の遊離端７ｃに設けられた、略側面三角形の脇当て部８により乳房は脇の下の左右の側面から中央の上方に向かって寄せられ、胸を豊満に見せる形に弾力的に支持される。
【００２２】
そして、本実施形態は、左右の前記カップ部１,１の各下縁１ｂに沿って前述のように、アンダーバストに一致するように、その前端３ａから略中間部３ｂにわたり縫着されるとともに、後端側３ｃを略一直線に延長させた伸縮性を発揮するリボン状の左右のアンダーバスト引締布３を、該アンダーバスト引締布３の後端に略一直線に両端５ａ,５ｂが固着されて胴まわりに捲き回される非伸縮性の布帛よりなる背部バンド５が、左右から後方に引張るようにカップ部１,１は支持されるので、女性が胸にブラジャーを装用した場合に、非伸縮性生地よりなる左右のカップ部を伸縮性編織地で構成されているバック部が後方へ引っ張る格好になり、カップ部周りが膚に食い込み、乳房間を拡げるように、胸を圧迫して押し潰してしまうような特許文献１に記載された従来のブラジャーとは異なり、本実施形態１のブラジャーでは、左右のカップ部１,１に収容される乳房はバストアップされ、体形が整えられるとともに、良好な保形性が発揮される。従って、運動を行うような激しい動きにおいても、左右のカップ部１,１により乳房は安定にかつ弾力的に支持される。
【００２３】
また、伸縮性を有するアンダーバスト引締布３の前端３ａから後端に、その下縁７ｂが縫着されることにより前記カップ部１,１の表面を覆うように遊離して設けられている伸縮性の表装布７と、前記表装布７の後方の遊離端７ｃが略側面三角形に形成された脇当て部８と、は、レース編物生地や柔軟な素材により形成される各種図柄の織物、編物により形成され、しかも多彩な色彩のものを用いて形成されるので、外観的に見映えがし、優れたデザイン性が発揮される。
【００２４】
そして、アンダーバスト引締布３の後端には、非伸縮性布地よりなり、長さ調整手段４を介して長さを長短調整可能に略一直線に両端５ａ,５ｂが固着された背部バンド５が設けられているので、被着者の胸囲の大小に応じて長さ調整手段４により背部バンド５は、その長さが迅速かつ確実に調整され、ブラジャーは、左右のカップ部１,１の下縁がアンダーバストに一致して的確に乳房を所定のカップ部１,１内に収容して装用することができる。
【００２５】
すなわち、背部バンド５の長さを調整するのには、一方の前記アンダーバスト引締布３の後端に一端１２ａが固着された定寸の固定バンド１２の他端１２ｂが、挿通されて縫着される一方の環状部１１ｃを有する一方の２連環１１の他方の環状部１１ｂに挿通されたループ部１３が一側に設けられた摺動バンド１４の前記ループ部１３の直径φを大小変化させるように、他方の２連環１１を摺動バンド１４に対して摺動させることにより、容易かつ確実にループ部１３の長さを変更し、背部バンド５の長さを長短調整することができる。
【００２６】
また、本実施形態のブラジャーには、カップ部１,１の周囲や脇当て部８には、特許文献１に記載されている従来のブラジャーのように、ワイヤーのような保形材が用いられてはいないので、窮屈感や痛みを覚えることなく、着心地良く装用することができる。
【産業上の利用可能性】
【００２７】
本考案は、胸を豊満に見せる形に、体形を整え、良好な保形性を発揮し、また、痛みを覚えることなく、着心地良く装用することができるという用途・機能に適する。
【符号の説明】
【００２８】
１      カップ部
１ａ    上縁
１ｂ    下縁
１ｃ    上縁頂部
２      係止具
３      アンダーバスト引締布
３ａ    前端
３ｂ    中間部
３ｃ    後端側
４      長さ調整手段
５      背部バンド
６      縁取りリボン
７      装飾布
７ａ    上縁
７ｂ    下縁
７ｃ    遊離端
８      脇当て部
９      背紐
９ａ    一端
９ｂ    他端
１０    取付金具
１１    ２連環
１２    固定バンド
１３    ループ部
１４    摺動バンド
【図１】
0003168656.tif 000003
【図２】
0003168656.tif 000004